(57)【特許請求の範囲】
【請求項１】
義足用ソールシステムであって、
義足の下面に取り付けられるスパイクソールと、
前記スパイクソールの下方に配置され、義足に取外し可能に設けられるラバーソールとを備え、
前記ラバーソールの上面が前記スパイクソールのスパイクおよびスパイク取付部を収容し得る凹部を有しており、前記凹部が前記スパイク取付部の下面を支持する支持面を有している、
ことを特徴とする義足用ソールシステム。
【請求項２】
請求項１において、
前記ラバーソールの前記凹部において前記スパイクまたは前記スパイク取付部と対向する底壁側領域には、硬質領域が設けられている、
ことを特徴とする義足用ソールシステム。
【請求項３】
請求項１において、
前記ラバーソールの前記上面には、前記ラバーソールを前記スパイクソールに取り付ける際に前記スパイクの先端を前記凹部まで案内するガイド溝が形成されている、
ことを特徴とする義足用ソールシステム。
【請求項４】
請求項１において、
前記ラバーソールが、義足に締結するための締結具を有している、
ことを特徴とする義足用ソールシステム。
【請求項５】
請求項１において、
前記ラバーソールが、前記スパイクソールに当接するミッドソールと、その下方に配置され、接地面を有するアウトソールとから構成されている、
ことを特徴とする義足用ソールシステム。
【請求項６】
請求項５において、
前記ミッドソールおよびアウトソール間には、前記ラバーソールを義足に締結するための締結具の一端が挟持されている、
ことを特徴とする義足用ソールシステム。
【請求項７】
請求項１において、
前記スパイクソールが、義足の下面に装着されるスパイクソール本体部と、前記スパイクソール本体部の外周縁部から上方に立ち上がる立上げ部とを有している、
ことを特徴とする義足用ソールシステム。
【請求項８】
請求項７において、
前記立上げ部が、前記スパイクソール本体部の前記外周縁部の複数の個所に設けられている、  
ことを特徴とする義足用ソールシステム。
【請求項９】
請求項７において、
前記ラバーソールが義足に締結するための締結具を有しており、前記締結具が前記立上げ部によって係止されている、
ことを特徴とする義足用ソールシステム。
【請求項１０】
請求項１において、
当該ソールシステムが、湾曲した板ばね状の競技用義足の足部に取り付けられるようになっている、
ことを特徴とする義足用ソールシステム。
【発明の詳細な説明】
【技術分野】
【０００１】
本発明は、義足用ソールシステムに関し、とくに、板ばね状の競技用義足の足部に取り付けられるソールシステムに関する。
【背景技術】
【０００２】
競技用義足として、たとえば特開２０１１−１８２８８１号公報には、下方に延びる下腿部と下腿部の下端から前方に湾曲しつつ延びる足部とからなる板ばね状の競技用義足において、足部の下面に滑り止め用のゴムシートが取り付けられたものが記載されている（当該公報の段落［００２０］および［００２８］ならびに図１参照）。
【０００３】
上記公報に記載のものは、競技用義足の足部の下面にゴムシートが装着されているため、ジョギングやランニング、屋内競技などに適している。その一方、陸上のトラック競技等においては、義足の足部の下面にスパイクを固着したものが用いられている。
【発明の概要】
【発明が解決しようとする課題】
【０００４】
一般に、競技用義足は非常に高価なものであるため、競技種目に応じてゴムシートが装着されたものとスパイクが固着されたものの双方を用意することは、競技者の経済的負担が大きい。また、競技場のトラック以外の場所ではスパイクをカバーする必要があるが、これまで義足のスパイクを簡単にかつ確実にカバーできるようなものはなかった。
【０００５】
本発明は、このような従来の実情に鑑みてなされたもので、本発明が解決しようとする課題は、着用者（とくに競技者）の負担を軽減でき、スパイクを簡単かつ確実にカバーできる義足用ソールシステムを提供することにある。
【課題を解決するための手段】
【０００６】
本発明に係る義足用ソールシステムは、義足の下面に取り付けられるスパイクソールと、スパイクソールの下方に配置され、義足に取外し可能に設けられるラバーソールとを備えている。ラバーソールの上面はスパイクソールのスパイクおよびスパイク取付部を収容し得る凹部を有しており、当該凹部がスパイク取付部の下面を支持する支持面を有している。
【０００７】
本発明においては、義足用ソールシステムをスパイクソールとして用いる際には、義足からラバーソールを取り外した状態で使用する。一方、義足用ソールシステムをラバーソールとして用いる際には、義足に取り付けられたスパイクソールの下方から義足にラバーソールを取り付けた状態で使用する。
【０００８】
本発明によれば、義足として、ラバーソールが装着されたものおよびスパイクソールが固着されたものの双方を用意する必要がなくなるので、着用者（競技者）の経済的負担を軽減できる。また、競技場のトラック以外の場所でスパイクをカバーする必要がある際には、スパイクソールの下方からラバーソールを取り付けるだけでよいので、スパイクを簡単かつ確実にカバーできるようになる。
【０００９】
また、本発明によれば、ラバーソールの上面が、スパイクソールのスパイクおよびスパイク取付部を収容し得る凹部を有しており、スパイクソールの下方からラバーソールを義足に取り付けた際には、スパイクソールのスパイクおよびスパイク取付部がラバーソール上面の凹部に収容されるので、ラバーソールによってスパイクソールのスパイクおよびスパイク取付部を確実にカバーできるだけでなく、ラバーソール装着時の運動の際に、スパイクソールのスパイク先端がラバーソールを傷付けるのを確実に防止できる。さらに、スパイク取付部の下面が凹部の支持面に支持されるので、運動時にスパイクが下方に移動してその先端が凹部の底部に接近するのを抑制できる。
【００１０】
本発明では、ラバーソールの凹部においてスパイク（またはスパイク取付部）と対向する底壁側領域に硬質領域が設けられている。硬質領域がスパイクと対向する底壁側領域に設けられている場合には、ラバーソール装着時の運動の際に、仮にスパイクソールのスパイク先端がラバーソールの凹部の底部に当接した場合でも、スパイク先端が凹部の底部を突き抜けるのを防止できる。また、硬質領域がスパイク取付部と対向する底壁側領域に設けられている場合には、ラバーソール装着時の運動の際に、スパイク取付部が硬質領域に当接することでスパイク取付部が下方に沈み込むのを防止でき、これにより、スパイク先端が凹部の底部を突き抜けるのを防止できる。
【００１１】
本発明によれば、ラバーソールの上面には、ラバーソールをスパイクソールに取り付ける際にスパイクの先端を凹部まで案内するガイド溝が形成されている。この場合には、ラバーソールをスパイクソールに取り付ける際に、スパイクソールのスパイク先端がラバーソールのガイド溝によって案内されることで、スパイクソールのスパイクをラバーソールの凹部にスムーズに収容することができ、これにより、スパイクソールに対するラバーソールの取付けをスムーズに行えるようになる。
【００１２】
本発明では、ラバーソールが、義足に締結するための締結具を有している。この場合、スパイクソールの下方からラバーソールを義足に取り付ける際には、ラバーソールの締結具の締結により、ラバーソールを義足に確実に取り付けることができ、また、ラバーソールを義足から取り外す際には、ラバーソールの締結具を緩める（または開放する）ことにより、ラバーソールを義足から簡単に取り外すことができる。
【００１３】
本発明では、ラバーソールが、スパイクソールに当接するミッドソールと、その下方に配置され、接地面を有するアウトソールとから構成されている。この場合には、ラバーソールを上下２層構造にしたことにより、各層の材質や硬度、発泡倍率等を異ならせることで、各層の材料特性を簡単に変えることができる。たとえば、アウトソールをミッドソールよりも高硬度素材から構成した場合には、接地面の耐摩耗性を向上できるばかりでなく、スパイクソールのスパイク先端がアウトソール接地面側に突き抜けるのを防止できるようになる。
【００１４】
本発明では、ラバーソールを義足に締結するための締結具の一端がミッドソールおよびアウトソール間に挟持されている。この場合には、ラバーソールをミッドソールおよびアウトソールの上下２層構造にして、締結具の一端をミッドソールおよびアウトソール間で挟持させることで、締結具のラバーソールへの固着が容易に行えるようになる。
【００１５】
本発明では、スパイクソールが、義足の下面に装着されるスパイクソール本体部と、スパイクソール本体部の外周縁部から上方に立ち上がる立上げ部とを有している。この場合には、スパイクソールの立上げ部によって、スパイクソールを義足に取り付ける際に義足に対するスパイクソールの位置決めを行えるとともに、スパイクソールの義足への取付後にスパイクソールが義足に対して前後左右方向にずれるのを防止できる。
【００１６】
本発明では、立上げ部が、スパイクソール本体部の外周縁部の複数の個所に設けられている。この場合には、立上げ部がスパイクソール本体部の外周縁部の全周にわたって連設されていないので、スパイクソールを義足下面の湾曲面に沿って配設する際に、スパイクソールを容易に湾曲させることでき、スパイクソールを義足下面に容易に密着させることができる。
【００１７】
本発明では、ラバーソールが義足に締結するための締結具を有しており、締結具が立上げ部によって係止されている。この場合には、ラバーソールを締結具で義足に締結した際に、締結部が前後方向にずれを起こすのをスパイクソールの立上げ部によって防止できる。
【００１８】
本発明では、当該ソールシステムが、湾曲した板ばね状の競技用義足の足部に取り付けられるようになっている。
【発明の効果】
【００１９】
以上のように、本発明に係る義足用ソールシステムによれば、義足の下面に取り付けられるスパイクソールと、スパイクソールの下方に配置された、義足に取外し可能なラバーソールとを設けたので、義足用ソールシステムをスパイクソールとして用いる際には、義足からラバーソールを取り外した状態で使用し、義足用ソールシステムをラバーソールとして用いる際には、義足に取り付けられたスパイクソールの下方から義足にラバーソールを取り付けた状態で使用すればよく、義足として、ラバーソールが装着されたものおよびスパイクソールが固着されたものの双方を用意する必要がなくなるので、着用者（競技者）の経済的負担を軽減できる。また、競技場のトラック以外の場所でスパイクをカバーする必要がある際には、スパイクソールの下方からラバーソールを取り付けるだけでよいので、スパイクを簡単かつ確実にカバーできるようになる。
【図面の簡単な説明】
【００２０】
【図１】本発明の一実施例による義足用ソールシステムが競技用義足の足部に取り付けられた状態を示す全体斜視図である。
【図２】図２の一部分解組立図である。
【図３】前記義足用ソールシステム（図１）を構成するスパイクソールを示す図であって、（ａ）はスパイクソールの平面図、（ｂ）はその側面図、（ｃ）は底面図であり、各図中、一点鎖線は競技用義足の足部を示している。
【図４】前記義足用ソールシステム（図１）を構成するラバーソールを示す図であって、（ａ）はラバーソールの側面図、（ｂ）はその平面図である。
【図５】前記ラバーソール（図４）を構成するアウトソールを示す図であって、（ａ）はアウトソールの側面図、（ｂ）はその平面図である。
【図６】前記ラバーソール（図４）を構成するアウトソールを示す図であって、（ａ）はアウトソールの底面図、（ｂ）はそのＢ−Ｂ線断面図である。
【図７】前記ラバーソール（図４）を構成するミッドソールを示す図であって、（ａ）はミッドソールの側面図、（ｂ）はその平面図である。
【図８】前記義足用ソールシステム（図１）のスパイク部分の縦断面図である。
【図９】図８の変形例を示す図である。
【図１０】図８の他の変形例を示す図である。
【図１１】図８のさらに他の変形例を示す図である。
【図１２】図８の別の変形例を示す図である。
【図１３】図８のさらに別の変形例を示す図である。
【図１４】本発明の他の実施例による義足用ソールシステムが競技用義足の足部に取り付けられた状態を示す全体斜視図である。
【図１５】前記ミッドソール（図７）の別の変形例を示す図である。
【発明を実施するための形態】
【００２１】
以下、本発明の実施例を添付図面に基づいて説明する。
図１ないし図８は本発明の一実施例による義足用ソールシステムを示している。ここでは、当該義足用ソールシステムが競技用義足の足部に取り付けられる場合を例にとって説明する。なお、以下の説明文中、前方（前側/前）および後方（後側/後）とは、競技用義足の足部における前後方向の位置関係を表し、上方（上側/上）および下方（下側/下）とは、競技用義足の足部における上下方向の位置関係を表すものとする。
【００２２】
図１および図２に示すように、この義足用ソールシステム１は、一点鎖線で示す競技用義足Ｌの前端側の足部Ｓに取り付けられるようになっている。競技用義足Ｌは、上下方向に延びる下腿部（図示せず）と、その下端から前方に湾曲しつつ延びる足部Ｓとを有しており、たとえば炭素繊維強化プラスチック（ＣＦＲＰ）製の板ばね状の部材である。
【００２３】
ソールシステム１は、競技用義足Ｌの足部Ｓに取り付けられるスパイクソール２と、スパイクソール２の下方に配置され、足部Ｓに取外し可能に設けられるラバーソール３とを備えている。
【００２４】
スパイクソール２は、足部Ｓの下面に装着されるスパイクソール本体部２０と、スパイクソール本体部２０の外周縁部から上方に立ち上がる立上げ部２１とを有している。スパイクソール本体部２０は、足部Ｓの外周形状に沿う外周形状を有しており、足部Ｓの下面（底面）に接着等で固着されるようになっている。立上げ部２１は、足部Ｓの外周面Ｓａに沿うように上方に延びている。立上げ部２１の高さは、足部Ｓの厚みに合わせて適宜設定される。また、立上げ部２１は、スパイクソール本体部２０の外周に沿って間隔を隔てて複数個（この例では８個）設けられている。
【００２５】
ラバーソール３は、足部Ｓに締結するための締結具４、５を有している。締結具４、５としては、ベルト、紐、ファスナー、バックル等の任意のものが適用可能である。ここでは、足部Ｓの前端側の締結具４としてベルト４０が用いられており、足部Ｓの前後方向中央部および後端側の締結具５としては、ＢＯＡ（登録商標）クロージャーシステムが採用されている。
【００２６】
足部Ｓの前端側の締結具４においては、足部Ｓの前端およびその後方側の左右側部にベルト係止用の係止部４０１、４０２、４０３がそれぞれ設けられており、各係止部４０１、４０２、４０３の下端はラバーソール３に固着されている。各係止部４０１、４０２、４０３間にはベルト４０が掛け渡されており、ベルト４０は面ファスナー等を介して締結されるようになっている。また、前端の係止部４０１の左右端はベルト４０’を介してラバーソール３に連結されていてもよい。ラバーソール３に対する各係止部４０１、４０２、４０３の下端の取付位置は、スパイクソール２の各立上げ部２１の間の間隙の位置に対応している。
【００２７】
足部Ｓの前後方向中央部および後端側の締結具５として採用されたＢＯＡ（登録商標）クロージャーシステムにおいては、足部Ｓの前後方向中央部および後端側の左右側部にそれぞれストラップ部５０が設けられており、各ストラップ部５０の下端はラバーソール３に固着されている。左右方向に相対する各ストラップ部５０の一方には、ＢＯＡ（登録商標）クロージャーシステムの操作部５１が取り付けられ、他方には、操作部５１から延びるワイヤー５２が係止する係止部５３が取り付けられている。ＢＯＡ（登録商標）クロージャーシステムにおいては、操作部５１の操作によりワイヤー５２が弛張することで各ストラップ部５０間を開放または締結するようになっている。ラバーソール３に対する各ストラップ部５０の下端の取付位置は、スパイクソール２の各立上げ部２１の間の間隙の位置に対応している。
【００２８】
図３（ａ）に示すように、スパイクソール２の上面２０Ａには、メッシュ、フィルムまたは布帛等からなるシート２２が装着されている。シート２２は、たとえばスパイクソール２の射出成形時にインサート成形されている。シート２２は、スパイクソール２を競技用義足Ｌの足部Ｓの下面に接着する際の接着性を向上させるために設けられており、好ましくは、上面２０Ａの全面領域に配設されている。
【００２９】
図３（ｃ）に示すように、スパイクソール２の下面２０Ｂには、ハニカム構造部２４が設けられている。このハニカム構造部２４は、六角形状の多数の貫通孔を前後左右方向に並設した構造を有しており、各貫通孔の周囲は六角形状のリブで囲繞されている。各貫通孔が上面２０Ａまで貫通していることで、スパイクソール２の上面２０Ａに装着されたシート２２の上面には各貫通孔の開口縁部の輪郭の一部が現れている（同図（ａ）参照）。ハニカム構造部２４を設けることで、スパイクソール２を軽量化できるとともに、強度を維持しつつ可撓性を向上できる。
【００３０】
図３（ｂ）および（ｃ）に示すように、スパイクソール２の下面２０Ｂには、スパイク取付用の複数（この例では１１個）のボス部（スパイク取付部）２５が設けられている。各ボス部２５には、スパイク（図示せず）を取り付けるための取付孔２５ａが形成されている。スパイクは、ボス部２５の取付孔２５ａに予め固着されていてもよく、または取付孔２５ａに設けられた雌ねじ部（たとえば、埋設された金属製のナット）に対して雄ねじ等で着脱自在に設けられていてもよい。この例では、ボス部２５にスパイクが装着されていない状態のものが示されている。
【００３１】
ラバーソール３の締結具４、５については、図１および図２を用いて説明したとおりであるが、各締結具４、５を締結した状態の側面図および平面図を図４（ａ）および（ｂ）にそれぞれ示す。図４（ｂ）に示すように、ラバーソール３の上面には、ラバーソール３を競技用義足Ｌの足部Ｓに取り付けた際に、スパイクソール２のボス部２５およびスパイクを収容し得る複数の凹部３ａが形成されている（図２参照）。
【００３２】
ラバーソール３は、ミッドソール３０と、ミッドソール３０を下方および周方向から覆うアウトソール３１とからなる２層構造を有している。ラバーソール３の締結具４、５における係止部４０１、４０２、４０３およびストラップ部５０の各々の下端は、ミッドソール３０およびアウトソール３１間で挟持されている。ミッドソール３０には、凹部３ａを構成する貫通孔３０ａが形成されている。ミッドソール３０の上面は、ラバーソール３を競技用義足Ｌの足部Ｓに取り付けた際にスパイクソール２の下面に当接するようになっている。アウトソール３１の下面には、各々接地面を有する多数のアウトソール部３２が設けられている（図５（ａ）および図６（ａ）参照）。好ましくは、ミッドソール３０の各貫通孔３０ａと上下に対向する位置にアウトソール部３２が配置されている。
【００３３】
図５（ｂ）および図６（ｂ）に示すように、アウトソール３１は、外周面３１ａの内側に凹部３１ｂを有している。凹部３１ｂは、ミッドソール３０をアウトソール３１内部に嵌合させるためのものである。凹部３１ｂの底面には、各締結具４、５における係止部４０１、４０２、４０３、ベルト４０’およびストラップ部５０のそれぞれの下端を接着するための接着代３３が設けられている。なお、ミッドソール３０およびアウトソール３１の厚みは、スパイクソール２のスパイク高さ（ボス部２５からのスパイク突出長さ）に応じて適宜設定されるが、着用者の他方の足が健足である場合には、健足が着用するスパイクシューズのスパイク高さに合わせる必要がある。
【００３４】
図７（ａ）および（ｂ）に示すように、ミッドソール３０は、複数の貫通孔３０ａと、前端側に配置された単一の切欠き３０ａ’とを有している。これら切欠き３０ａ’および貫通孔３０ａは、スパイクソール２の各ボス部２５に対応する位置に設けられている。また、ミッドソール３０の後部は、前部および中央部よりもわずかに板厚が厚くなっており、段差部３０ｂを有している。段差部３０ｂの段差は、スパイクソール２の板厚にほぼ等しくなっている。
【００３５】
ラバーソール３は、締結具４、５の係止部４０１、４０２、４０３、ベルト４０’およびストラップ部５０のそれぞれの下端をアウトソール３１の凹部３１ｂの底面の各接着代３３に接着し、その状態から、ミッドソール３０を凹部３１ｂ内に配置して固着することにより組み立てられる。ラバーソール３の組立後は、ミッドソール３０の貫通孔３０ａおよび切欠き３０ａ’の下部開口は、アウトソール３１の凹部３１ｂの底面で覆われており、これら貫通孔３０ａおよび切欠き３０ａ’はラバーソール３の凹部３ａとして機能する。
【００３６】
ここで、本実施例による義足用ソールシステム１を構成する各要素の素材について簡単に触れておく。
スパイクソール２は、たとえば、ＰＡＥ（ポリアミドエラストマー）、ＴＰＵ（熱可塑性ポリウレタン）、ＣＦＲＰ（炭素繊維強化プラスチック）、ＧＦＲＰ（ガラス繊維強化プラスチック）等の比較的硬質の弾性部材から構成される。ミッドソール３０は、たとえば、ＥＶＡ（エチレン・酢酸ビニル共重合樹脂）、ラバー、ＰＵ（ポリウレタン）等の発泡材またはソリッド材から構成される。アウトソール３１としては、ミッドソール３０よりも硬質の部材が好ましく、具体的には、ラバー、ＰＵ、ＥＶＡ等のソリッド材または発泡材が用いられる。アウトソール３１の硬度に関しては、とくにミッドソール３０の貫通孔３０ａの底面側開口部に位置するアウトソール領域については高硬度であるのが好ましく、たとえばアスカーＡスケールで７０度以上に設定される。締結具を構成するベルト４、４’、各係止部４０１、４０２、４０３および各ストラップ部５０については、人工皮革、布帛、織物等が用いられ、ワイヤー５２については、金属や繊維等が用いられる。
【００３７】
上述のように構成される義足用ソールシステム１を着用する際には、まず、スパイクソール２を競技用義足Ｌの足部Ｓに取り付ける（図２の上側の図参照）。この場合には、スパイクソール２の上面２０Ａに接着剤を塗布し、この状態から、スパイクソール２の上面２０Ａを競技用義足Ｌの足部Ｓの下面に当接させつつ、スパイクソール２の外周縁部の立上げ部２１を足部Ｓの外周面Ｓａに当接させることで、スパイクソール２を足部Ｓに対して適切な位置に位置決めしつつ足部Ｓの下面に接着する。
【００３８】
このとき、スパイクソール２の上面２０Ａには、メッシュ、フィルムまたは布帛等からなるシート２２が設けられているので、スパイクソール２を足部Ｓに強固に接着できる。また、このとき、足部Ｓの下面が湾曲している場合でも、スパイクソール２の各立上げ部２１が間隔を隔てて配置されていることで、スパイクソール２のスパイクソール本体部２０を容易に湾曲させることができ、これにより、スパイクソール本体部２０の上面２０Ａを足部Ｓの湾曲した下面に沿って密着できる。
【００３９】
義足用ソールシステム１をスパイクソールとして用いる際には、このようにスパイクソール２を競技用義足Ｌの足部Ｓに取り付けた状態で（つまりラバーソール３を取り付けることなく）使用する。この場合、スパイクソール２の立上げ部２１が足部Ｓの外周面に沿って配設されていることで、スパイクソールとしての運動の際にスパイクソール２が足部Ｓに対して前後左右方向にずれるのを防止できる。
【００４０】
次に、義足用ソールシステム１をラバーソールとして用いる際には、競技用義足Ｌの足部Ｓに取り付けられたスパイクソール２の下方から足部Ｓにラバーソール３を取り付ける（図２参照）。この場合には、ラバーソール３の各締結具４、５を緩めた（または完全に開放した）状態で、スパイクソール２の下面２０Ｂ（図３（ｂ）、（ｃ））にラバーソール３の上面を当接させるようにする。
【００４１】
このとき、ラバーソール３の上面の凹部３ａ（すなわちミッドソール３０の貫通孔３０ａ）には、図８に示すように、スパイクソール２のスパイク取付用のボス部２５が嵌合し、このとき、ボス部２５にスパイク２６が装着されていた場合には、凹部３ａ内にスパイク２６も収容されることになる。また、このとき、ラバーソール３の各締結具４、５の係止部４０１、４０２、４０３およびストラップ部５０は、スパイクソール２の隣り合う各立上げ部２１間の間隙に対応する位置に配置されており（図１参照）、各締結具４、５の係止部４０１、４０２、４０３およびストラップ部５０はそれぞれ対応する各立上げ部２１に係止されている。この状態から、各締結具４、５を締結することにより、ラバーソール３が競技用義足Ｌの足部Ｓに確実に取り付けられる（図１参照）。
【００４２】
ラバーソールとしての運動の際には、ラバーソール３の各締結具４、５がスパイクソール２の各立上げ部２１に係止されていることで（さらには、スパイクソール２のボス部２５がラバーソール３の凹部３ａに収容されて凹部内周面で保持されていることで）、ラバーソール３がスパイクソール２に対して前後左右方向にずれるのを防止できるとともに、スパイクソール２のスパイク２６がラバーソール３の凹部３ａに収容されていることで、ラバーソール３によってスパイクソール２のスパイク２６を確実にカバーすることができ、スパイクソール２のスパイク２６先端がラバーソール３を傷付けるのを確実に防止できる。また、ラバーソール３の凹部３ａの底壁側領域には、硬質の弾性部材からなるアウトソール３１が配設されているので、運動時にスパイク２６先端の下方への突き抜けを硬質のアウトソール３１（さらにはアウトソール部３２）により防止できる。
【００４３】
ラバーソール３を再び足部Ｓから取り外す際には、ラバーソール３の各締結具４、５を緩めて（または完全に開放して）、ラバーソール３をスパイクソール２から離すようにすればよい。
【００４４】
このように本実施例によれば、競技用義足として、ラバーソールが装着されたものおよびスパイクソールが固着されたものの双方を用意する必要がなくなり、着用者（競技者）の経済的負担を軽減できる。しかも、ラバーソールとしての使用時には、スパイクソールの下方からカバーバーソールを取り付けるだけでよいので、スパイクを簡単かつ確実にカバーできるようになる。
【００４５】
以上、本発明に好適な実施例について説明したが、本発明の適用はこれに限定されるものではなく、本発明には種々の変形例が含まれる。以下に変形例のいくつかの例を挙げておく。なお、各変形例を示す図面において、前記実施例と同一符号は同一または相当部分を示している。
【００４６】
＜第１の変形例＞
前記実施例では、スパイクソール２の立上げ部２１が、スパイクソール本体部２０の外周縁部の複数の個所に設けられた例を示したが、本発明の適用はこれに限定されず、立上げ部２１は、スパイクソール本体部２０の外周縁部に沿って連続して延設されていてもよい。この場合、ラバーソール３の締結具４、５を係止するために、立上げ部２１の上端の一部に切欠きやスリットを形成するようにしてもよい。
【００４７】
＜第２の変形例＞
前記実施例では、ラバーソール３がミッドソール３０およびアウトソール３１の２層で構成された例を示したが、本発明によるラバーソール３は、単一のソールから構成されていてもよい。この場合、ラバーソール３の締結具４の各係止部４０１、４０２、４０３の下端および締結具５のストラップ部５０の下端は、たとえばラバーソール３の上面に接着等で固着される。あるいは、各係止部４０１、４０２、４０３およびストラップ部５０は、ラバーソール３の成形時に一体成形するようにしてもよい。
【００４８】
＜第３の変形例＞
前記実施例では、スパイクソール２にラバーソール３を取り付けた際、スパイクソール２のスパイク取付用のボス部２５がラバーソール３の上面の凹部３ａに嵌合し、このとき、ラバーソール３の凹部３ａの底壁側領域に硬質のアウトソール３１が配設されることで、運動時にスパイク２６先端の下方への突き抜けを硬質のアウトソール３１（さらにはアウトソール部３２）により防止するようにした例を示したが、本発明の適用はこれに限定されない。
【００４９】
図９ないし図１３は、本発明の第３の変形例を示している。
図９に示す例では、ラバーソール３の凹部３ａ（つまりミッドソール３０の貫通孔３０ａ）の底壁側領域には、硬質のアウトソール３１を上方に挿通してアウトソール部３２が設けられている。この場合には、運動時にスパイク２６先端の下方への突き抜けが硬質のアウトソール部３２によって防止されている。
【００５０】
また、図９に示す例では、ミッドソール３０に形成される貫通孔３０ａの形状が前記実施例の図８に示すものとは異なっている。前記実施例では、貫通孔３０ａがスパイクソール２のボス部２５を収容しつつ下方に直線状に延びるストレート穴であるのに対し、図９に示すものでは、ボス部２５を収容する大径の座ぐり穴３０ａ１と、その下方に形成され、スパイク２６を収容する小径の貫通孔３０ａ２とから構成されている。このため、図９に示す例では、座ぐり穴３０ａ１の下端の段差部３０ａ’によってスパイクソール２のボス部２５の下面２５ａが支持されている。このようにボス部２５を段差部３０ａ’で支持することにより、運動時にスパイク２６が下方に移動してその先端が凹部３ａの底部に接近するのを抑制できる。なお、貫通孔３０ａは、スパイクソール２のボス部２５を収容しつつ下方に直線状に延びるストレート穴であってもよい。
【００５１】
図１０に示す例では、ラバーソール３の凹部３ａ（ミッドソール３０の貫通孔３０ａ）の底壁側領域に硬質プレート３５が配設されている。硬質プレート３５は、アウトソール３１よりも硬度が高い素材（たとえば金属や硬質樹脂等）からなり、アウトソール３１の上面に固着されている。この場合には、運動時に、仮にスパイク２６の先端が凹部３ａの底部に当接した場合でも、スパイク２６先端が凹部３ａの底部を突き抜けるのを硬質プレート３５により防止できる。
【００５２】
図１１に示す例では、ミッドソール３０に形成される貫通孔３０ａの形状が図１０に示すものとは異なっている。図１０では、貫通孔３０ａがスパイクソール２のボス部２５を収容しつつ下方に直線状に延びるストレート穴であるのに対し、図１１に示すものでは、ボス部２５を収容する大径の座ぐり穴３０ａ１と、その下方に形成され、スパイク２６を収容する小径の貫通孔３０ａ２とから構成されており、座ぐり穴３０ａ１の下端の段差部３０ａ’によってスパイクソール２のボス部２５の下面２５ａが支持されている。このようにボス部２５を段差部３０ａ’で支持することにより、運動時にスパイク２６が下方に移動してその先端が凹部３ａの底部に接近するのを抑制できる。
【００５３】
図１２に示す例では、ラバーソール３の凹部３ａ（ミッドソール３０の貫通孔３０ａ）内に円筒状（リング状）の硬質部材３６が設けられている。硬質部材３６は、好ましくは、アウトソール３１よりも硬度が高い素材（たとえば硬質ラバーや金属等）からなる。硬質部材３６の中央の中空穴３６ａにはスパイク２６が収容されており、上面はボス部２５の下面２５ａを支持している。この場合には、運動時にスパイク２６が下方に移動してその先端が凹部３ａの底部に接近するのを硬質部材３６により抑制できるとともに、仮にスパイク２６の先端が凹部３ａの底部に当接した場合でも、スパイク２６先端が凹部３ａの底部を突き抜けるのを硬質プレート３５により防止できる。
【００５４】
図１３に示す例では、ラバーソール３の凹部３ａ（ミッドソール３０の貫通孔３０ａ）内に硬質のアウトソール３１が上方に延設されており、当該延設部３１ｃによって、図１２の硬質部材３６に相当するものが構成されている。延設部３１ｃの中央の中空穴３１ｃ１内にはスパイク２６が収容されており、延設部３１ｃの上面はボス部２５の下面２５ａを支持している。この場合には、運動時にスパイク２６が下方に移動してその先端が凹部３ａの底部に接近するのを延設部３１ｃにより抑制できるとともに、仮にスパイク２６の先端が凹部３ａの底部に当接した場合でも、スパイク２６先端が凹部３ａの底部を突き抜けるのを硬質のアウトソール３１（さらにはアウトソール部３２）により防止できる。
【００５５】
＜第４の変形例＞
前記実施例では、ラバーソール３において、足部Ｓの前後方向中央部および後端側の締結具５としてＢＯＡ（登録商標）クロージャーシステムが採用された例を示したが、これは一般的なベルトによる締結具に代えてもよい。
【００５６】
図１４は、締結具５として一般的なベルトを採用した例を示している。ここでは、競技用義足Ｌおよび足部Ｓが二点鎖線ではなく実線で示されている。また、スパイクソール２の立上げ部２１の個数が前記実施例に示すものとは異なっている。
【００５７】
図１４に示すように、足部Ｓの前後方向中央部および後端側の締結具５として、前端側の締結具４のベルト４０と同様に、面ファスナー付きベルト５５が設けられている。なお、同図に示すものでは、前端側の締結具４におけるベルト４０’が省略されている。
【００５８】
＜第５の変形例＞
図１５は、本発明によるミッドソールの変形例を示している。同図に示すように、ミッドソール３０の貫通孔３０ａの上側開口の後端側縁部には、前後方向に延びるガイド溝３０ｃが形成されている。これらのガイド溝３０ｃは、ラバーソール３をスパイクソール２に取り付ける際にラバーソール３に対するスパイク２６先端の移動を案内するためのものである。ガイド溝３０ｃを設けることで、スパイクソール２のスパイク２６をラバーソール３の凹部３ａにスムーズに収容することができ、これにより、スパイクソール２に対するラバーソール３の取付けをスムーズに行えるようになる。
【００５９】
＜その他の変形例＞
上述した実施例および各変形例はあらゆる点で本発明の単なる例示としてのみみなされるべきものであって、限定的なものではない。本発明が関連する分野の当業者は、本明細書中に明示の記載はなくても、上述の教示内容を考慮するとき、本発明の精神および本質的な特徴部分から外れることなく、本発明の原理を採用する種々の変形例やその他の実施例を構築し得る。
【００６０】
＜他の適用例＞
前記実施例では、本発明による義足用ソールシステムが競技用義足の足部（すなわちスポーツ義足）に適用された例を示したが、本発明の適用はこれに限定されるものではなく、本発明は、日常生活で使用される生活義足にも適用可能である。
【産業上の利用可能性】
【００６１】
以上のように、本発明は、義足用ソールシステムに有用であり、とくに、板ばね状の競技用義足の足部に取り付けられるソールシステムに適している。
【符号の説明】
【００６２】
１：  義足用ソールシステム
２：  スパイクソール
２０：  スパイクソール本体部
２１：  立上げ部
２５：  ボス部（スパイク取付部）
２６：  スパイク
３：  ラバーソール
３ａ：  凹部
３０：  ミッドソール
３０ｃ：  ガイド溝
３１：  アウトソール
４、５：  締結具
Ｌ：  競技用義足
Ｓ：  足部
【先行技術文献】
【特許文献】
【００６３】
【特許文献１】特開２０１１−１８２８８１号公報（段落［００２０］および［００２８］ならびに図１参照）
【図１】
0006511214.tif 000002
【図２】
0006511214.tif 000003
【図３】
0006511214.tif 000004
【図４】
0006511214.tif 000005
【図５】
0006511214.tif 000006
【図６】
0006511214.tif 000007
【図７】
0006511214.tif 000008
【図８】
0006511214.tif 000009
【図９】
0006511214.tif 000010
【図１０】
0006511214.tif 000011
【図１１】
0006511214.tif 000012
【図１２】
0006511214.tif 000013
【図１３】
0006511214.tif 000014
【図１４】
0006511214.tif 000015
【図１５】
0006511214.tif 000016